(57)【特許請求の範囲】
【請求項１】
柔軟性と通気性を有するマスクシートを備えた衛生用のマスクと使用者の顔面との間に配置され、
前記マスクシートの端と使用者の顔面との間に配置される介在部を備え、前記介在部は、前記使用者の前記顔面と前記マスクシートとの間に排気用空間を形成するように構成されたマスク用補助スペーサーにおいて、
前記介在部は、前記顔面に接触する板状の顔面接触部と、前記顔面接触部から前方に伸びて前記シートとの間に空間を保つ剛性を有するスペーサー部とを備え、
前記スペーサー部の少なくとも一部分が前記マスクシートに接触して、前記マスクシートと前記顔面との間に空間を形成するように構成され、
前記スペーサー部は、左右方向に間隔を置いて配置された板状の一対の立ち上がり部を備え、
前記立ち上がり部は、前記顔面接触部から前方に伸びるものであり、前記一対の立ち上がり部と前記顔面接触部とで断面コの字状をなし、
前記一対の立ち上がり部の前端側に固定部が配置され、
前記固定部は、基端部分から先端部分に向けて前記マスク内へ伸びる板状をなしており、
前記基端部分が前記一対の立ち上がり部に対して接続され、先端部分が前記スペーサー部に対して接近離反することにより、前記マスクシートを表側から裏側へ弾性によって押し付けて、前記マスクシートを着脱可能に挟持するように構成され、
前記スペーサー部が、前記マスクシートの端部を超えて前記マスクシートの外側へ突出する部分を備え、前記突出する部分によって前記排気用空間はマスクシートの外側まで伸びていることを特徴とするマスク用補助スペーサー。
【請求項２】
前記固定部の前記基端部分が前記一対の立ち上がり部に対して接続されている箇所は、前記一対の立ち上がり部の最端部よりも前記マスク内に近い位置であることを特徴とする請求項１に記載のマスク用補助スペーサー。
【発明の詳細な説明】
【技術分野】
【０００１】
本発明は、柔軟で通気性のあるマスクシートを用いた衛生用等のマスクの装着時に用いるマスク用補助スペーサーに関するものである。
【背景技術】
【０００２】
新型コロナウイルスの流行は２０２０年の夏においても終息せず、飛沫感染を主として防止する観点からの新型コロナウイルス流行対策として、夏の高温多湿下においても衛生用のマスクの着用を多くの人々が行っている。
この新型コロナウイルスの日本国内の死者数は、２０２０年７月末において１０００人を超えている。
他方、高温時に増加する熱中症は、これによる年間の死亡者数については、２０１０年から２０１８年までの間、５００人を下回った年がない。特に、２０１０年と２０１８年の両年にあっては、上記新型コロナウイルスによる死亡者数の約１.５倍である１５００人を超える方々が、熱中症によって亡くなっている。
このような死亡者数の比較からしても明らかなように、新型コロナウイルスへの対策と熱中症への対策は、甲乙つけがたい重要性があると言える。
【０００３】
ところが、衛生用のマスクは、その本来の機能から気密性が高く、着用者自らの呼気がマスクシートと顔面の間に滞留するため、マスク内に熱気が籠り、マスク着用時に熱く感じてしまうことを避けることができない。従って、夏季に衛生用のマスクを着用していると、熱中症のリスクが高まると言わざるを得ないが、この両立困難な二つの課題を解決するための有効で現実的な手段は、未だ示されていないのが現状である。
【０００４】
先行技術文献についてみると、特許文献１は、防塵、防花粉といった衛生面での機能を有すると共に、熱中症対策も兼備した衛生マスクを提供することを課題とするもので、衛生マスクに保冷剤を収納するポケットを装備し、ポケットに冷却又は凍らせた保冷剤を入れて頬を冷却し、体温を下げるいわゆる熱中症対策も兼備させたクールマスクに係る発明を開示している。ところが、冷却又は凍らせた保冷剤を用意する必要があり、手軽に継続的に利用するという点については、課題を残すものである。
特許文献２は、マスクの機能を損なうことなく、市販されている口と鼻との両方を覆うタイプのマスクをそのまま利用して、化粧落ちや装着跡を気にすることなく使用でき、かつ呼吸や会話を円滑に行うことを目的として、マスクシートと顔面との間に介在させる補助スペーサーを開示するものである。ところが、この補助スペーサーは、使用者の鼻及び口の周囲を覆う環状をなしているものであって、その全体はマスクシートの内部にすっぽり収まった状態で装着されるものである。従って、着用者自らの呼気がマスクシートと顔面の間に滞留することを防止することができない。
【先行技術文献】
【特許文献】
【０００５】
【特許文献１】登録実用新案第３２２７１４５号公報
【特許文献２】特開２０１５−０１９９２０号公報
【発明の概要】
【発明が解決しようとする課題】
【０００６】
本発明は、衛生用のマスクの機能を大きく損なうことなく、着用者自らの呼気がマスクシートと顔面の間に滞留することを抑制することができるマスク用補助スペーサーの提供を図ることを課題とするものである。
【課題を解決するための手段】
【０００７】
本発明は、柔軟性と通気性を有するマスクシートを備えた衛生用のマスクと使用者の顔面との間に配置されるマスク用補助スペーサーを提供する。
本発明のマスク用補助スペーサーは、マスクシートの端と使用者の顔面との間に配置される介在部を備え、前記介在部は、前記使用者の前記顔面と前記マスクシートとの間に前記マスクシートの外側へ開口する排気用空間を形成するように構成されたことを特徴とする。
【０００８】
本発明の実施の形態によれば、前記介在部は、前記顔面に接触する顔面接触部と、前記顔面接触部から前方に伸びて前記シートとの間に空間を保つ剛性を有するスペーサー部とを備え、前記スペーサー部の少なくとも一部分が前記マスクシートに接触して、前記マスクシートと前記顔面との間に空間を形成するように構成することができる。
また、前記マスク用補助スペーサーを前記マスクシートに対して着脱可能に固定するよう構成された固定部を備えたものとすることもできる。
また、前記スペーサー部は、左右方向に間隔を置いて配置された複数の立ち上げ部分を備え、前記立ち上げ部分は、前記顔面接触部から前方に伸びるものであり、その前端側に前記固定部が配置されたものとすることもできる。
前記固定部は、前記マスクシートを表側から裏側へ弾性によって押し付けて、前記マスクシートを着脱可能に挟持するように構成できる。
【０００９】
また、前記スペーサー部から前記マスクシートの外側方向へ伸びる延設部を備えたものであっても構わない。
より具体的には、前記介在部は、前記顔面接触部を備えた顔面対向部と、前記顔面対向部から前記マスクシートの外側方向へ伸びる延設部を備え、前記延設部は、前記顔面対向部から下方へ延設され、前記マスクシートの端部と前記使用者の顎との間に配置されることによって、前記マスクシートの端部と前記顎との間に排気用空間を維持するように構成されたものであり、前記使用者の呼気が前記排気用空間から外部に排出されることを促すものとして実施することができる。
さらに、前記スペーサー部は、前記使用者の口を覆う位置に配置されて前記使用者の前記口と前記シートとの間に空間を保つ剛性を有し、且つ、前記シートを介した前記使用者の呼吸を維持する呼吸用開口を備えたものであり、
前記延設部は、前記スペーサー部の下部から前記顎よりも下方へ延設されたものとすることもできる。
【発明の効果】
【００１０】
本発明に係るマスク用補助スペーサーは、介在部が、マスクシートの端部と前記顎との間に排気用空間を維持するものである。その結果、使用者の呼気が排気用空間から外部に排出されるため、使用者の呼気がマスクシート内に滞留することを抑制することができる。
しかも使用者の呼気は、マスクシートの端部から開口した排気用空間から、主に使用者の顔の下方や後方へ向けて排出されるため、呼気や飛沫の前方への排出飛散を抑制することもできる。
よって、本発明は、飛沫感染の予防と熱中症の予防との両立困難な課題に対する対策を講じるための有効で現実的な手段を提供することができたものである。
【図面の簡単な説明】
【００１１】
【図１】（Ａ）本発明の第１の実施の形態に係るマスク用補助スペーサーの使用状態の説明書、（Ｂ）同マスク用補助スペーサーを用いない場合のマスクの使用状態の説明書。
【図２】同マスク用補助スペーサーの斜視図。
【図３】同マスク用補助スペーサーを示すもので、（Ａ）は平面図、（Ｂ）は正面図、（Ｃ）は底面図、（Ｅ）は左側面図、（Ｆ）は背面図。
【図４】（Ａ）本発明の第２の実施の形態に係るマスク用補助スペーサーの使用状態の説明書、（Ｂ）同マスク用補助スペーサーを用いない場合のマスクの使用状態の説明書。
【図５】（Ａ）（Ｂ）はそれぞれ同マスク用補助スペーサーの斜視図。
【図６】（Ａ）（Ｂ）（Ｃ）はそれぞれ同マスク用補助スペーサーの使用状態の説明図。
【発明を実施するための形態】
【００１２】
以下、図面を参照して本発明の実施の形態を説明する。
（概要）
図１〜図３に示す第１の実施の形態に係るマスク用補助スペーサーは、柔軟性と通気性を有するマスクシートｓを備えた衛生用のマスクと使用者の顔面ｆとの間に配置される介在部１０を備えたものである。
この介在部１０は、上部の顔面対向部１１と、下部の延設部３１を備えるものである。
一般にマスクは、マスクシートｓの周囲と使用者の顔面ｆとの間には隙間を作らないようにすることが望ましいとされるため、使用者の呼気ａは、図１（Ｂ）に示されるように、マスクシートｓと顔面ｆの間で呼気ａが滞留しがちとなり、寒冷時はともかく夏季などの高温時には、呼気ａの熱気が鼻や口の周囲に止まり、顔面ｆの温度上昇を招いてしまう。
これに対して、マスク用補助スペーサーを用いた場合には、図１（Ａ）に示されるように、マスクシートｓのマスクシートの端部ｕがマスク用補助スペーサーの延設部３１の外面に接触した状態でマスクが着用されるため、使用者の呼気ａを、介在部１０と使用者の顔面ｆや顎ｃとの間に排気用空間ｅが下向きに確保される。その結果使用者の呼気ａを、排気用空間ｅから外部へ略下向きに逃すことができ、使用者の顔面ｆの温度上昇を抑制することができるものである。
なお、マスクは市販されている物を適宜選択して用いることができ、マスクシートｓには不織布製、織地や編地製、発泡ウレタン製など、飛沫や花粉の侵入を抑制することができると共に呼吸を確保することができる微細孔を備えると共に適当な柔軟性を備えたものを適宜選択して用いることができる。
なお以下の説明においては、原則として、使用者の顔面ｆに近い側を後方とし、使用者の顔面ｆから離れる側を前方として説明しする。また、マスク用補助スペーサーはマスクシートの内側から外側へ使用者の呼気ａを排出するものであるが、その流れ方向に対して略直交する方向を左右方向として説明する。また、その流れ方向の上流側（排気用空間ｅに対して遠い側）を上方向、下流側（排気用空間ｅに対して近い側）を下方向として説明する。
【００１３】
（顔面対向部１１について）
この実施の形態に係るマスク用補助スペーサーの介在部１０は、マスクシートｓと使用者の顔面ｆとの間に挿入された際に大きな変形を生じない程度の剛性を備えたもので、合成樹脂の成型品などで構成することができる。
顔面対向部１１は、図２に示すように、左右の顔面接触部１２と、両顔面接触部１２の間に渡されたスペーサー部１３とを備えている。
【００１４】
（顔面接触部１２について）
顔面接触部１２は、図の上下方向に伸びる板状をなしており、使用者の口の左右の顔面ｆに対して面接触することにより、その応力が集中することを抑制して、装着感の低下を抑制する。装着感を高めるために、顔面接触部１２の接触面をシリコン製などの弾性部材で構成しておくことも好ましい。
【００１５】
（スペーサー部１３について）
スペーサー部１３は、口の周辺の顔面ｆとマスクシートｓとの間に空間を確保すると共にマスクシートｓからの外気を鼻や口に通すための呼吸用開口２４を備えたものであればその形状や形態は様々なもの採用することができるが、この実施の形態では、以下の構成を有するものとして実施されている。
この実施の形態に係るスペーサー部１３は、顔面接触部１２の上部に接続支持された上フレーム１４と、顔面接触部１２の下部に接続支持された下フレーム１７とを備えている。
上フレーム１４は、顔面接触部１２の上部から前方に伸びる左右のサイド部分１５と、左右のサイド部分１５の間に渡されたフロント部分１６とを備えている。下フレーム１７は、顔面接触部１２の下部から前方に伸びる左右のサイド部分１８と、左右のサイド部分１８の間に渡されたフロント部分１９とを備えている。なおこの実施の形態では、上フレーム１４のサイド部分１５に比べて下フレーム１７のサイド部分１８の方が長いため、平面視において上フレーム１４よりも下フレーム１７の方が前方へ突出している。
上フレーム１４と下フレーム１７との間には左右の中央フレーム２０が略縦方向に渡されている。中央フレーム２０は上フレーム１４のフロント部分１６から前方へ伸びる上部分２１と、上部分２１の前端と下フレーム１７のフロント部分１９とを結ぶ縦部分２２を備えている。
また、左右の中央フレーム２０は、左右の縦部分２２間に渡されたフロントバー部分２３を備えており、これによって、マスクが顔面に接近してしまうことを確実に抑制して空間を作ることができると共に、全体の強度を高めることができる。
以上、スペーサー部１３の各部の間には何も存在せず、楽に呼吸をすることができる程度に充分に開口した呼吸用開口２４となっている。
上記のようにこのマスク用補助スペーサーのスペーサー部１３は細い棒状のフレームを組み合わせて構成されているため、呼吸用開口２４は大きな開口となっているが、フレームの構造は様々に変更して実施しても構わないし、パンチングシートや比較的目の粗いメッシュなど、比較的小さな開口を多数備えたものでスペーサー部１３を構成しても構わない。
【００１６】
（延設部３１について）
顔面対向部１１から下方には延設部３１が配置されている。この延設部３１は、望ましくは使用者の顎ｃよりも下方に伸びることで、マスクシートの端部ｕが使用者の顔面ｆや顎ｃに密着してしまうことを防止して、延設部３１と使用者の顎ｃを含む顔面ｆとの間に排気用空間ｅを形成するものである。
具体的には、延設部３１は、上述の下フレーム１７のフロント部分１９から下方に伸びるフロント部分３２と、下フレーム１７の左右のサイド部分１８から下方に伸びる左右のサイド部分３３とを備えたものである。延設部３１は、フロント部分３２だけを備えるものであっても構わないが、サイド部分３３を備えることによってフロント部分３２の変形を抑制することができる。特に、マスクシートの端部ｕにはゴムが通されているものもあり、ゴムの張力などによってフロント部分３２が顔面に近づくように変形してしまう恐れがあるが、左右のサイド部分３３を設けることによってフロント部分３２の変形を抑制することができる。なお、この実施の形態では延設部３１を開口部の無い板状として実施したが、スペーサー部１３と同様に細い棒状のフレームなどで構成することにより、開口を備えたものとして実施しても構わない。
【００１７】
（使用方法）
この実施の形態に係るマスク用補助スペーサーは、使用者の顔面ｆとマスクシートｓとの間に挟まれた状態で、マスクのゴム紐などの弾性によって保持される。この装着状態で、顔面接触部１２が使用者の口の両側の顔面ｆに接触した状態となり、マスク用補助スペーサーの介在部１０のほぼ全体がマスクシートｓによって覆われ、延設部３１の下端付近のみがマスクシートの端部ｕから僅かに突出している状態となる。なお、マスクシートの端部ｕの位置決めのために、延設部３１の下端付近に凹凸やスリットなどの係止部（図示せず）を設けて実施しても構わない。
このマスク用補助スペーサーを装着することによって、使用者の鼻孔や口の周辺とマスクシートｓとの間に十分な空間を作ることができる。
より詳しくは、スペーサー部１３の上フレーム１４及び中央フレーム２０が前方に膨らんでいることによって、マスクシートｓの顔面ｆへの密着を抑制すると共に、そこにできる空間が鼻から排出された呼気ａをスムーズに排出するための空間になる。また、スペーサー部１３の呼吸用開口２４によって十分な開口面積が確保されているため、マスクシートｓを介した呼吸を円滑に行うことができる。
【００１８】
さらに延設部３１によって、使用者の顎ｃを含む顔面ｆとの間に、マスクシートの端部ｕを超えて下方に開口する排気用空間ｅが常に確保されるため、下方向へのスムーズな呼気の排出と排熱を実現することができる。
これによって、マスクシートｓ及び呼吸用開口２４から、新鮮な空気をマスクシートｓの内部に取り入れることができると共に、顔面の温度を下げ、熱中症対策を施すことが可能になる。また、排気用空間ｅはマスクシートの端部ｕから下向きの開口しているため、使用者の呼気ａが前方へ流れることを抑制することができる。さらに、延設部３１を板状とすることによって、飛沫の拡散防止効果を高めることができる。
【００１９】
（第２の実施の形態）
図４以降に示す第１の実施の形態に係るマスク用補助スペーサーも、先の実施の形態と同様、柔軟性と通気性を有するマスクシートｓを備えた衛生用のマスクと使用者の顔面ｆとの間に配置される介在部５０を備えたものである。
この介在部１０は、先の例とは異なり延設部３１を備えておらず、言うなれば顔面対向部のみで構成されているものであるが、先の例と同様に延設部３１を設けても構わない。
この例でも図４（Ｂ）に示すマスク用補助スペーサーを用いない場合の使用者の呼気はマスクシートｓと顔面ｆの間で滞留しがちとなるが、マスク用補助スペーサーを用いた場合には、図４（Ａ）に示されるように、介在部５０によってマスクシートｓと使用者の顔面ｆとの間に排気用空間ｅが確保される。その結果使用者の呼気ａを、排気用空間ｅから外部へ逃すことができ、使用者の顔面ｆの温度上昇を抑制することができるものである。
【００２０】
（顔面接触部５１について）
この実施の形態に係るマスク用補助スペーサーの介在部５０は、マスクシートｓと使用者の顔面ｆとの間に挿入された際に大きな変形を生じない程度の剛性を備えたもので、合成樹脂の成型品などで構成することができる。
介在部５０は、図５に示すように、顔面接触部５１とスペーサー部５２とを備え、スペーサー部５２は顔面接触部５１の左右両側から前方へ延びる左立ち上がり部５３と右立ち上がり部５４を備えている。
【００２１】
（顔面接触部５１について）
顔面接触部５１は、平板状をなしており、使用者の顔面ｆに対して面接触することにより、その応力が集中することを抑制して、装着感の低下を抑制する。装着感を高めるために、顔面接触部５１の接触面をシリコン製などの弾性部材で構成しておくことも好ましい。
【００２２】
（スペーサー部５２について）
スペーサー部５２としては、１つでも構わないが、この例のように左立ち上がり部５３と右立ち上がり部５４の複数設ける方が形状の安定性を得やすい点で有利である。
左立ち上がり部５３及び右立ち上がり部５４は、板状としているが、先の例のように細棒状や細板状によるフレーム体でも構わないし、多孔質板等でも構わない。
また、左立ち上がり部５３及び右立ち上がり部５４の端部に他の板状部を渡して、顔面接触部５１を含めた全体として筒状のものとしても構わない。
【００２３】
（固定部６１について）
固定部６１は、マスクシートｓを表側から裏側へ弾性によって押し付けて、着脱可能に挟持するもので、この例では、板状をなしており、基端部分６２がスペーサー部５２（左立ち上がり部５３及び右立ち上がり部５４）に対して接続されている。この接続部分の弾性変形や、バネ等の付勢部材によって、先端部分６３がスペーサー部５２に対して接近離反し、スペーサー部５２と固定部６１との間に挿入されたマスクシートｓを挟みつけて固定する。なお、基端部分６２の端に摘み部分を設けて実施しても構わないし、挿入を容易になすために先端部分６３の端に反りを設けるなどしても構わない。なお、第１の実施の形態に係るマスク用補助スペーサーにおいても、固定部６１と同様な固定部を設けても構わない。
固定部６１の基端部分６２が、左右一対の立ち上がり部５３、５４に対して接続されている箇所は、立ち上がり部５３、５４の最端部（最も外側の端）よりもマスク内に近い位置である。従って、固定部６１によってマスクシートｓに取り付けられた状態で、スペーサー部５２は、その一部分が、マスクシートsの端部ｕを超えてマスクシートｓの外側へ突出している。この外側へ突出する部分によって排気用空間eはマスクシートｓの外側まで伸びているものである。
【００２４】
（使用方法）
この実施の形態に係るマスク用補助スペーサーは、マスクシートｓとの端に着脱可能に固定され、使用者の顔面ｆとマスクシートｓとの間に配置される。この装着状態で、マスクシートｓの端部に図４（Ａ）に示す排気用空間ｅが形成される。
図６の各図に示すように、このマスク用補助スペーサーはマスクシートｓの端部の様々な位置に取り付けることができ、鼻や口から排出された呼気ａをスムーズに排気用空間ｅから排出することができる。
また、複数のマスク用補助スペーサーを並べて配置し、両者間の空間をも排気用空間ｅとしても構わない。
【００２５】
（結び）
このように、マスクシートの端部ｕと顔面ｆの間にマスク用補助スペーサーを挿入することによって、使用者の呼気ａ及び熱気をマスクシートの端から外部へスムーズに排出することができるため、気温が高い時期にマスクをしても使用者の顔面ｆの温度上昇を抑えることができ、熱中症の発生を緩和することができる。また、マスクを装着していることによって生じるいわゆるマスク頭痛の原因として、マスク内に溜まった使用者自身の呼気を繰り返し吸うことによる吸気内の二酸化炭素濃度の上昇が挙げられているが、呼気をマスクの外に排出することでマスク頭痛の発生を抑制することもできる。
【符号の説明】
【００２６】
ｓ  マスクシート
ｕ  マスクシートの端部
ａ  呼気
ｆ  顔面
ｃ  顎
ｅ  排気用空間
１０  介在部
１１  顔面対向部
１２  顔面接触部
１３  スペーサー部
１４  上フレーム
１５  サイド部分
１６  フロント部分
１７  下フレーム
１８  サイド部分
１９  フロント部分
２０  中央フレーム
２１  上部分
２２  縦部分
２３  フロントバー部分
２４  呼吸用開口
３１  延設部
３２  フロント部分
３３  サイド部分
５０  介在部
５１  顔面接触部
５２  スペーサー部
５３  左立ち上がり部
５４  右立ち上がり部
６１  固定部
６２  基端部分
６３  先端部分
【要約】
【課題】衛生用のマスクの機能を大きく損なうことなく、着用者自らの呼気がマスクシートと顔面の間に滞留することを抑制することができるマスク用補助スペーサーの提供を図る。
【解決手段】柔軟性と通気性を有するマスクシートsを備えた衛生用のマスクと使用者の顔面fとの間に配置されるマスク用補助スペーサーを提供する。マスク用補助スペーサーは、マスクシートsの下端と使用者の顔面fとの間に配置される介在部１０を備えたものであり、介在部１０と使用者の顔面ｆとの間に下方へ開口する排気用空間ｅを形成する。介在部１０は、上部の顔面対向部１１と、下部の延設部３１とを備える。延設部３１が、マスクシートの端部ｕと使用者の顎ｃとの間に配置されることによって、排気用空間ｅを維持する。
【選択図】図１【図１】
0006857926.tif 000002
【図２】
0006857926.tif 000003
【図３】
0006857926.tif 000004
【図４】
0006857926.tif 000005
【図５】
0006857926.tif 000006
【図６】
0006857926.tif 000007